(57)【特許請求の範囲】
【請求項１】
照明部と、
所定の検知範囲内での人の在否の検出を行う人体検出センサとを備え、
前記人体検出センサが人を検出している場合に前記照明部を所定の照度レベルで点灯させる制御を行い、前記人体検出センサが人を検出していない場合に前記照明部を前記所定の照度レベルより低い照度レベルで点灯させる制御を行い、
前記照明部の光源が複数のＬＥＤである照明制御装置であって、
交流電源と前記照明部との電気的接続／遮断を切り替えるトライアックと、
前記人体検出センサの検出結果に応じて前記トライアックを制御する制御部とを備え、
前記複数のＬＥＤの一部と前記複数のＬＥＤの残りとが互いに双方向に接続され、
前記制御部が、前記人体検出センサが人を検出している場合に、前記交流電源の出力電圧が正である期間と負である期間の双方において、所定のゲート電圧を前記トライアックのゲートに印加し、前記人体検出センサが人を検出していない場合に、前記交流電源の出力電圧が正である期間と負である期間のうちのいずれか一方において、所定のゲート電圧を前記トライアックのゲートに印加することを特徴とする照明制御装置。
【請求項２】
前記人体検出センサが人を検出していない場合に、前記交流電源の出力電圧が正である期間において所定のゲート電圧を前記トライアックのゲートに印加する制御と、前記交流電源の出力電圧が負である期間において所定のゲート電圧を前記トライアックのゲートに印加する制御とを一定時間毎に切り替える請求項１に記載の照明制御装置。
【請求項３】
照明部と、
所定の検知範囲内での人の在否の検出を行う人体検出センサとを備え、
前記人体検出センサが人を検出している場合に前記照明部を所定の照度レベルで点灯させる制御を行い、前記人体検出センサが人を検出していない場合に前記照明部を前記所定の照度レベルより低い照度レベルで点灯させる制御を行い、
前記照明部の光源が複数のＬＥＤである照明制御装置であって、
交流電源と前記照明部との電気的接続／遮断を切り替えるトライアックと、
前記人体検出センサの検出結果に応じて前記トライアックを制御する制御部とを備え、
前記複数のＬＥＤの一部と前記複数のＬＥＤの残りとが互いに双方向に接続され、
前記制御部が、前記人体検出センサが人を検出している場合に、前記交流電源の出力電圧が正である期間と負である期間の双方において、所定のゲート電圧を前記トライアックのゲートに印加し、前記人体検出センサが人を検出していない場合に、前記交流電源の出力電圧が正である期間の一部と負である期間の一部の双方において、所定のゲート電圧を前記トライアックのゲートに印加することを特徴とする照明制御装置。
【請求項４】
照明部と、
所定の検知範囲内での人の在否の検出を行う人体検出センサとを備え、
前記人体検出センサが人を検出している場合に前記照明部を所定の照度レベルで点灯させる制御を行い、前記人体検出センサが人を検出していない場合に前記照明部を前記所定の照度レベルより低い照度レベルで点灯させる制御を行い、
前記照明部の光源が複数のＬＥＤである照明制御装置であって、
交流電源の出力電圧を全波整流する全波整流回路と、
前記全波整流回路と前記照明部との電気的接続／遮断を切り替えるサイリスタ又はトライアックと、
前記人体検出センサの検出結果に応じて前記サイリスタ又はトライアックを制御する制御部とを備え、
前記制御部が、前記人体検出センサが人を検出している場合に、前記交流電源の出力電圧が正である期間と負である期間の双方において、所定のゲート電圧を前記サイリスタ又はトライアックのゲートに印加し、前記人体検出センサが人を検出していない場合に、前記交流電源の出力電圧が正である期間と負である期間のうちのいずれか一方において、所定のゲート電圧を前記サイリスタ又はトライアックのゲートに印加することを特徴とする照明制御装置。
【請求項５】
照明部と、
所定の検知範囲内での人の在否の検出を行う人体検出センサとを備え、
前記人体検出センサが人を検出している場合に前記照明部を所定の照度レベルで点灯させる制御を行い、前記人体検出センサが人を検出していない場合に前記照明部を前記所定の照度レベルより低い照度レベルで点灯させる制御を行い、
前記照明部の光源が複数のＬＥＤである照明制御装置であって、
交流電源の出力電圧を全波整流する全波整流回路と、
前記全波整流回路と前記照明部との電気的接続／遮断を切り替えるサイリスタ又はトライアックと、
前記人体検出センサの検出結果に応じて前記サイリスタ又はトライアックを制御する制御部とを備え、
前記制御部が、前記人体検出センサが人を検出している場合に、前記交流電源の出力電圧が正である期間と負である期間の双方において、所定のゲート電圧を前記サイリスタ又はトライアックのゲートに印加し、前記人体検出センサが人を検出していない場合に、前記交流電源の出力電圧が正である期間の一部と負である期間の一部の双方において、所定のゲート電圧を前記サイリスタ又はトライアックのゲートに印加することを特徴とする照明制御装置。
【請求項６】
照明部と、
所定の検知範囲内での人の在否の検出を行う人体検出センサとを備え、
前記人体検出センサが人を検出している場合に前記照明部を所定の照度レベルで点灯させる制御を行い、前記人体検出センサが人を検出していない場合に前記照明部を前記所定の照度レベルより低い照度レベルで点灯させる制御を行う照明制御装置であって、
所定の検知範囲内での照度の検出を行う照度センサを備え、
前記照度センサが検出する照度が所定レベル以上である場合、前記人体検出センサの検出結果にかかわらず、前記照明部を消灯させる制御を行うことを特徴とする照明制御装置。
【請求項７】
自動販売機の前面に設けられる商品サンプル展示部の照明を制御する請求項１〜６のいずれか１項に記載の照明制御装置。
【請求項８】
請求項７に記載の照明制御装置を備えることを特徴とする自動販売機。
【発明の詳細な説明】
【技術分野】
【０００１】
本発明は、照明を制御する照明制御装置及びそれを備えた自動販売機に関する。
【背景技術】
【０００２】
最近の自動販売機においては、自動販売機本体が大型化するのに伴い自動販売機の前面に設けられる商品サンプル展示部も大きくなり、その商品サンプル展示部の照明の消費電力が大きくなってきている。そこで、人体検出センサによって自動販売機の近くに人がいるか否かを検出し、自動販売機の近くに人がいない場合に商品サンプル展示部の照明を消灯し、自動販売機に人が近づくと商品サンプル展示部の照明を点灯する自動販売機の点灯制御装置が提案されている（例えば特許文献１参照）。
【０００３】
このような自動販売機の点灯制御装置の一構成例を図１１に示す。図１１に示す従来の自動販売機の点灯制御装置は、リレー２Ｂと、所定の検知範囲内での人の在否の検出を行う人体検出センサ５と、人体検出センサ５の出力に応じてリレー２Ｂを制御する制御部６Ｃと、蛍光灯部１７とを備えている。交流電源１にリレー２Ｂと蛍光灯部１７とが直列に接続されており、リレー２Ｂがオンのときに蛍光灯部１７が点灯し、リレー２Ｂがオフのときに蛍光灯部１７が消灯する。制御部６Ｃは、人体検出センサ５が第１の所定時間の間継続して人を検出している場合にリレー２Ｂをオンにし、人体検出センサ５が第２の所定時間の間継続して人を検出していない場合にリレー２Ｂをオフにする。
【０００４】
【特許文献１】特許第３００６２８４号公報
【特許文献２】特許第３０６５０８３号公報
【発明の開示】
【発明が解決しようとする課題】
【０００５】
図１１に示す従来の自動販売機の点灯制御装置は、自動販売機の近くに人がいない場合に商品サンプル展示部の照明を消灯し、自動販売機に人が近づくと商品サンプル展示部の照明を点灯するので、商品サンプル展示部の照明を常時点灯するものに比べて、商品サンプル展示部の照明の消費電力を小さくすることができる。
【０００６】
しかし、図１１に示す従来の自動販売機の点灯制御装置は、自動販売機の近くに人がいない場合に商品サンプル展示部の照明を消灯するため、遠くから自動販売機を見た場合動作していないように見え、購買意欲のある人が他の自動販売機を探すことになり、購買意欲のある人を逃がしてしまうおそれがあった。
【０００７】
本発明は、上記の状況に鑑み、消費電力を低減することができ、かつ、遠くからでも動作していることを容易に認識することができる照明制御装置及びそれを備えた自動販売機を提供することを目的とする。
【課題を解決するための手段】
【０００８】
上記目的を達成するために本発明に係る照明制御装置は、照明部と、所定の検知範囲内での人の在否の検出を行う人体検出センサとを備え、前記人体検出センサが人を検出している場合に前記照明部を所定の照度レベルで点灯させる制御を行い、前記人体検出センサが人を検出していない場合に前記照明部を前記所定の照度レベルより低い照度レベルで点灯させる制御を行うようにする。なお、かかる構成には、人体検出センサが人を検出している場合と人体検出センサが人を検出していない場合との制御の切り替えにヒステリシス特性を持たせるもの、例えば、人体検出センサが第１の所定時間の間継続して人を検出している場合に照明部を所定の照度レベルで点灯させる制御を行い、人体検出センサが第２の所定時間の間継続して人を検出していない場合に照明部を前記所定の照度レベルより低い照度レベルで点灯させる制御を行うものも含まれる。
【０００９】
このような構成によると、人体検出センサが人を検出している場合に比べて人体検出センサが人を検出していない場合の照明部の照度レベルを低くしているので、消費電力を低減することができ、かつ、人体検出センサが人を検出していない場合でも照明部を点灯させているので、遠くからでも動作していることを容易に認識することができる。
【００１０】
例えば、前記照明部の光源として複数の蛍光灯を用い、人体検出センサが人を検出している場合に比べて人体検出センサが人を検出していない場合の蛍光灯の点灯本数を減らすような制御を行う構成も考えられるが、照明の低コスト化、小型化、長寿命化を図るために、前記照明源の光源として複数のＬＥＤ（Light Emitting Diode）を用いる構成が望ましい。
【００１１】
また、上記構成の照明制御装置において、前記照明源の光源として複数のＬＥＤを用い、交流電源と前記照明部との電気的接続／遮断を切り替えるトライアックと、前記人体検出センサの検出結果に応じて前記トライアックを制御する制御部とを備え、前記複数のＬＥＤの一部と前記複数のＬＥＤの残りとが互いに双方向に接続され、前記制御部が、前記人体検出センサが人を検出している場合に、前記交流電源の出力電圧が正である期間と負である期間の双方において、所定のゲート電圧を前記トライアックのゲートに印加し、前記人体検出センサが人を検出していない場合に、前記交流電源の出力電圧が正である期間と負である期間のうちのいずれか一方において、所定のゲート電圧を前記トライアックのゲートに印加するようにしてもよい。これにより、回路構成が簡単になる。さらに、前記人体検出センサが人を検出していない場合に、前記交流電源の出力電圧が正である期間において所定のゲート電圧を前記トライアックのゲートに印加する制御と、前記交流電源の出力電圧が負である期間において所定のゲート電圧を前記トライアックのゲートに印加する制御とを一定時間毎に切り替えることが望ましい。これにより、前記複数のＬＥＤの一部と前記複数のＬＥＤの残りとにおいて、寿命の平準化を図ることができる。
【００１２】
また、上記構成の照明制御装置において、前記照明源の光源として複数のＬＥＤを用い、交流電源と前記照明部との電気的接続／遮断を切り替えるトライアックと、前記人体検出センサの検出結果に応じて前記トライアックを制御する制御部とを備え、前記複数のＬＥＤの一部と前記複数のＬＥＤの残りとが互いに双方向に接続され、前記制御部が、前記人体検出センサが人を検出している場合に、前記交流電源の出力電圧が正である期間と負である期間の双方において、所定のゲート電圧を前記トライアックのゲートに印加し、前記人体検出センサが人を検出していない場合に、前記交流電源の出力電圧が正である期間の一部と負である期間の一部の双方において、所定のゲート電圧を前記トライアックのゲートに印加するようにしてもよい。これにより、回路構成が簡単になるとともに、前記複数のＬＥＤの一部と前記複数のＬＥＤの残りとにおいて、寿命の平準化を図ることができる。
【００１３】
また、上記構成の照明制御装置において、前記照明源の光源として複数のＬＥＤを用い、交流電源の出力電圧を全波整流する全波整流回路と、前記全波整流回路と前記照明部との電気的接続／遮断を切り替えるサイリスタ又はトライアックと、前記人体検出センサの検出結果に応じて前記サイリスタ又はトライアックを制御する制御部とを備え、前記制御部が、前記人体検出センサが人を検出している場合に、前記交流電源の出力電圧が正である期間と負である期間の双方において、所定のゲート電圧を前記サイリスタ又はトライアックのゲートに印加し、前記人体検出センサが人を検出していない場合に、前記交流電源の出力電圧が正である期間と負である期間のうちのいずれか一方において、所定のゲート電圧を前記サイリスタ又はトライアックのゲートに印加するようにしてもよい。これにより、回路構成が簡単になる。
【００１４】
また、上記構成の照明制御装置において、前記照明源の光源として複数のＬＥＤを用い、交流電源の出力電圧を全波整流する全波整流回路と、前記全波整流回路と前記照明部との電気的接続／遮断を切り替えるサイリスタ又はトライアックと、前記人体検出センサの検出結果に応じて前記サイリスタ又はトライアックを制御する制御部とを備え、前記制御部が、前記人体検出センサが人を検出している場合に、前記交流電源の出力電圧が正である期間と負である期間の双方において、所定のゲート電圧を前記サイリスタ又はトライアックのゲートに印加し、前記人体検出センサが人を検出していない場合に、前記交流電源の出力電圧が正である期間の一部と負である期間の一部の双方において、所定のゲート電圧を前記サイリスタ又はトライアックのゲートに印加するようにしてもよい。これにより、回路構成が簡単になる。
【００１５】
また、上記各構成の照明制御装置において、前記人体検出センサが人を検出していない場合における前記所定の照度レベルより低い照度レベルを、前記所定の照度レベルの半分にしてもよい。
【００１６】
また、上記各構成の照明制御装置において、所定の検知範囲内での照度の検出を行う照度センサを備え、前記照度センサが検出する照度が所定レベル以上である場合、前記人体検出センサの検出結果にかかわらず、前記照明部を消灯させる制御を行うようにしてもよい。このような構成によると、更なる省エネルギー化を図ることができる。
【００１７】
また、上記目的を達成するために、上記いずれかの構成の照明制御装置を、自動販売機の前面に設けられる商品サンプル展示部の照明を制御する自動販売機の照明制御装置として用いるとよい。
【発明の効果】
【００１８】
本発明によると、人体検出センサが人を検出している場合に比べて人体検出センサが人を検出していない場合の照明部の照度レベルを低くしているので、消費電力を低減することができ、かつ、人体検出センサが人を検出していない場合でも照明部を点灯させているので、遠くからでも動作していることを容易に認識することができる。
【発明を実施するための最良の形態】
【００１９】
本発明の実施形態について図面を参照して以下に説明する。本発明に係る照明制御装置の一構成例を図１に示す。
【００２０】
図１に示す本発明に係る照明制御装置は、トライアック２と、ＬＥＤアレイ３と、電流制限抵抗４と、所定の検知範囲内での人の在否の検出を行う人体検出センサ５と、人体検出センサ５の出力に応じてトライアック２を制御する制御部６とを備えている。交流電源１にトライアック２とＬＥＤアレイ３と電流制限抵抗４とが直列に接続されている。ＬＥＤアレイ３は、複数個のＬＥＤが直列接続されてなるＬＥＤ列を複数並列に配列し、全ＬＥＤ列の半数をアノード側がトライアック２にカソード側が電流制限抵抗４に接続されるように配列し、全ＬＥＤ列の残り半数をアノード側が電流制限抵抗４にカソード側がトライアック２に接続されるように配列し、直列接続されているＬＥＤの個数を全ＬＥＤ列において同一にしている構成である。
【００２１】
制御部６は、交流電源１の出力電圧（以下、電源電圧Ｖ1ともいう）のゼロクロスを検出するゼロクロス検出部（不図示）を有している。
【００２２】
人体検出センサ５が人を検出している場合、制御部６は、常時、所定のゲート電圧をトライアック２のゲートに印加する。これにより、電源電圧Ｖ1が正である期間では、電源電圧Ｖ1の絶対値がＬＥＤ列を構成している複数のＬＥＤの順方向電圧を合計した値以上であるとき（ここでは、トライアック２のオン抵抗及び電流制限抵抗４を無視している。）に、トライアック２に電流が流れ、アノード側がトライアック２にカソード側が電流制限抵抗４に接続されているＬＥＤ列が点灯し、電源電圧Ｖ1が負である期間では、電源電圧Ｖ1の絶対値がＬＥＤ列を構成している複数のＬＥＤの順方向電圧を合計した値以上であるとき（ここでは、トライアック２のオン抵抗及び電流制限抵抗４を無視している。）に、トライアック２に電流が流れ、アノード側が電流制限抵抗４にカソード側がトライアック２に接続されているＬＥＤ列が点灯する。この場合、トライアック２を流れる電流Ｉ2及びトライアック２の両端電圧Ｖ2の波形は図２に示すようになる。
【００２３】
一方、人体検出センサ５が人を検出していない場合、制御部６は、電源電圧Ｖ1の立ち上がりゼロクロスを検出した時点から電源電圧Ｖ1の立ち下がりゼロクロスを検出した時点までの期間、すなわち、電源電圧Ｖ1が正である期間、所定のゲート電圧をトライアック２のゲートに印加する。これにより、電源電圧Ｖ1が正である期間において、電源電圧Ｖ1の絶対値がＬＥＤ列を構成している複数のＬＥＤの順方向電圧を合計した値以上であるとき（ここでは、トライアック２のオン抵抗及び電流制限抵抗４を無視している。）に、アノード側がトライアック２にカソード側が電流制限抵抗４に接続されているＬＥＤ列が点灯する。この場合、トライアック２を流れる電流Ｉ2及びトライアック２の両端電圧Ｖ2の波形は図３に示すようになる。なお、人体検出センサ５が人を検出していない場合、制御部６は、電源電圧Ｖ1の立ち上がりゼロクロスを検出した時点から電源電圧Ｖ1の立ち下がりゼロクロスを検出した時点までの期間、すなわち、電源電圧Ｖ1が正である期間、所定のゲート電圧をトライアック２のゲートに印加する制御と、電源電圧Ｖ1の立ち下がりゼロクロスを検出した時点から電源電圧Ｖ1の立ち上がりゼロクロスを検出した時点までの期間、すなわち、電源電圧Ｖ1が負である期間、所定のゲート電圧をトライアック２のゲートに印加する制御とを、一定時間（例えば１時間）毎に切り替えるようにして、アノード側がトライアック２にカソード側が電流制限抵抗４に接続されているＬＥＤ列の寿命と、アノード側が電流制限抵抗４にカソード側がトライアック２に接続されているＬＥＤ列の寿命との平準化を図ることが望ましい。
【００２４】
また、制御部６が、ゼロクロス検出部の代わりに、電源電圧Ｖ1の位相を検出する位相検出部（不図示）を有するようにし、以下のような制御を行うようにしてもよい。
【００２５】
人体検出センサ５が人を検出している場合、制御部６は、常時、所定のゲート電圧をトライアック２のゲートに印加する。これにより、電源電圧Ｖ1が正である期間では、電源電圧Ｖ1の絶対値がＬＥＤ列を構成している複数のＬＥＤの順方向電圧を合計した値以上であるとき（ここでは、トライアック２のオン抵抗及び電流制限抵抗４を無視している。）に、トライアック２に電流が流れ、アノード側がトライアック２にカソード側が電流制限抵抗４に接続されているＬＥＤ列が点灯し、電源電圧Ｖ1が負である期間では、電源電圧Ｖ1の絶対値がＬＥＤ列を構成している複数のＬＥＤの順方向電圧を合計した値以上であるとき（ここでは、トライアック２のオン抵抗及び電流制限抵抗４を無視している。）に、トライアック２に電流が流れ、アノード側が電流制限抵抗４にカソード側がトライアック２に接続されているＬＥＤ列が点灯する。この場合、トライアック２を流れる電流Ｉ2及びトライアック２の両端電圧Ｖ2の波形は図２に示すようになる。
【００２６】
一方、人体検出センサ５が人を検出していない場合、制御部６は、電源電圧Ｖ1の位相がπ／２〜πである期間と、電源電圧Ｖ1の位相が３π／２〜２πである期間とにおいて、所定のゲート電圧をトライアック２のゲートに印加する。これにより、電源電圧Ｖ1の位相がπ／２〜πである期間では、電源電圧Ｖ1の絶対値がＬＥＤ列を構成している複数のＬＥＤの順方向電圧を合計した値以上であるとき（ここでは、トライアック２のオン抵抗及び電流制限抵抗４を無視している。）に、アノード側がトライアック２にカソード側が電流制限抵抗４に接続されているＬＥＤ列が点灯し、電源電圧Ｖ1の位相が３π／２〜２πである期間では、電源電圧Ｖ1の絶対値がＬＥＤ列を構成している複数のＬＥＤの順方向電圧を合計した値以上であるとき（ここでは、トライアック２のオン抵抗及び電流制限抵抗４を無視している。）に、アノード側が電流制限抵抗４にカソード側がトライアック２に接続されているＬＥＤ列が点灯する。この場合、トライアック２を流れる電流Ｉ2及びトライアック２の両端電圧Ｖ2の波形は図４に示すようになる。図４から明らかな通り、アノード側がトライアック２にカソード側が電流制限抵抗４に接続されているＬＥＤ列の寿命と、アノード側が電流制限抵抗４にカソード側がトライアック２に接続されているＬＥＤ列の寿命との平準化を図ることができる。
【００２７】
図１に示す本発明に係る照明制御装置は、人体検出センサ５が人を検出している場合に比べて人体検出センサ５が人を検出していない場合のＬＥＤアレイ３の照度を小さくしているので、ＬＥＤアレイ３の消費電力を低減することができ、かつ、人体検出センサ５が人を検出していない場合でもＬＥＤアレイ３を点灯させているので、遠くからでも動作していることを容易に認識することができる。
【００２８】
また、図１に示す本発明に係る照明制御装置は、ＬＥＤアレイ３を駆動させるための電源を、ＬＥＤの駆動電源として一般的な直流電源ではなく、交流電源とすることによって、ＬＥＤアレイ３の駆動回路を簡単な構成にしている。
【００２９】
次に、本発明に係る照明制御装置の他の構成例を図５に示す。なお、図５において図１と同一の部分には同一の符号を付す。
【００３０】
図５に示す本発明に係る照明制御装置は、サイリスタ２Ａと、ＬＥＤアレイ３Ａと、電流制限抵抗４と、所定の検知範囲内での人の在否の検出を行う人体検出センサ５と、人体検出センサ５の出力に応じてサイリスタ２Ａを制御する制御部６Ａと、ダイオードブリッジ７とを備えている。交流電源１にダイオードブリッジ７の入力側が接続され、ダイオードブリッジ７の出力側にサイリスタ２ＡとＬＥＤアレイ３Ａと電流制限抵抗４とが直列に接続されている。ＬＥＤアレイ３Ａは、複数個のＬＥＤが直列接続されてなるＬＥＤ列を複数並列に配列し、全ＬＥＤ列をアノード側がサイリスタ２Ａにカソード側が電流制限抵抗４に接続されるように配列し、直列接続されているＬＥＤの個数を全ＬＥＤ列において同一にしている構成である。
【００３１】
制御部６Ａは、電源電圧Ｖ1のゼロクロスを検出するゼロクロス検出部（不図示）を有している。
【００３２】
人体検出センサ５が人を検出している場合、制御部６Ａは、常時、所定のゲート電圧をサイリスタ２Ａのゲートに印加する。これにより、電源電圧Ｖ1が正である期間及び電源電圧Ｖ1が負である期間において、ダイオードブリッジ７の出力電圧Ｖ7がＬＥＤ列を構成している複数のＬＥＤの順方向電圧を合計した値以上であるとき（ここでは、サイリスタ２Ａのオン抵抗及び電流制限抵抗４を無視している。）に、サイリスタ２Ａに電流が流れ、ＬＥＤアレイ３Ａの全ＬＥＤ列が点灯する。この場合、サイリスタ２Ａを流れる電流Ｉ2A及びサイリスタ２Ａの両端電圧Ｖ2Aの波形は図６に示すようになる。
【００３３】
一方、人体検出センサ５が人を検出していない場合、制御部６Ａは、電源電圧Ｖ1の立ち上がりゼロクロスを検出した時点から電源電圧Ｖ1の立ち下がりゼロクロスを検出した時点までの期間、すなわち、電源電圧Ｖ1が正である期間、所定のゲート電圧をトライアック２のゲートに印加する。これにより、電源電圧Ｖ1が正である期間において、ダイオードブリッジ７の出力電圧Ｖ7がＬＥＤ列を構成している複数のＬＥＤの順方向電圧を合計した値以上であるとき（ここでは、サイリスタ２Ａのオン抵抗及び電流制限抵抗４を無視している。）に、サイリスタ２Ａに電流が流れ、ＬＥＤアレイ３Ａの全ＬＥＤ列が点灯する。この場合、サイリスタ２Ａを流れる電流Ｉ2A及びサイリスタ２Ａの両端電圧Ｖ2Aの波形は図７に示すようになる。
【００３４】
また、制御部６Ａが、ゼロクロス検出部の代わりに、電源電圧Ｖ1の位相を検出する位相検出部（不図示）を有するようにし、以下のような制御を行うようにしてもよい。
【００３５】
人体検出センサ５が人を検出している場合、制御部６Ａは、常時、所定のゲート電圧をサイリスタ２Ａのゲートに印加する。これにより、電源電圧Ｖ1が正である期間及び電源電圧Ｖ1が負である期間において、ダイオードブリッジ７の出力電圧Ｖ7がＬＥＤ列を構成している複数のＬＥＤの順方向電圧を合計した値以上であるとき（ここでは、サイリスタ２Ａのオン抵抗及び電流制限抵抗４を無視している。）に、サイリスタ２Ａに電流が流れ、ＬＥＤアレイ３Ａの全ＬＥＤ列が点灯する。この場合、サイリスタ２Ａを流れる電流Ｉ2A及びサイリスタ２Ａの両端電圧Ｖ2Aの波形は図６に示すようになる。
【００３６】
一方、人体検出センサ５が人を検出していない場合、制御部６Ａは、電源電圧Ｖ1の位相がπ／２〜πである期間と、電源電圧Ｖ1の位相が３π／２〜２πである期間とにおいて、所定のゲート電圧をサイリスタ２Ａのゲートに印加する。これにより、電源電圧Ｖ1の位相がπ／２〜πである期間及び電源電圧Ｖ1の位相が３π／２〜２πである期間において、ダイオードブリッジ７の出力電圧Ｖ7がＬＥＤ列を構成している複数のＬＥＤの順方向電圧を合計した値以上であるとき（ここでは、サイリスタ２Ａのオン抵抗及び電流制限抵抗４を無視している。）に、サイリスタ２Ａに電流が流れ、ＬＥＤアレイ３Ａの全ＬＥＤ列が点灯する。この場合、サイリスタ２Ａを流れる電流Ｉ2A及びサイリスタ２Ａの両端電圧Ｖ2Aの波形は図８に示すようになる。
【００３７】
図５に示す本発明に係る照明制御装置は、人体検出センサ５が人を検出している場合に比べて人体検出センサ５が人を検出していない場合のＬＥＤアレイ３Ａの照度を小さくしているので、ＬＥＤアレイ３Ａの消費電力を低減することができ、かつ、人体検出センサ５が人を検出していない場合でもＬＥＤアレイ３Ａを点灯させているので、遠くからでも動作していることを容易に認識することができる。
【００３８】
また、図５に示す本発明に係る照明制御装置は、ＬＥＤアレイ３Ａを駆動させるための電源を、ＬＥＤの駆動電源として一般的な直流電源ではなく、交流電源とすることによって、ＬＥＤアレイ３Ａの駆動回路を簡単な構成にしている。
【００３９】
次に、本発明に係る照明制御装置の更に他の構成例を図９に示す。なお、図９において図１と同一の部分には同一の符号を付す。
【００４０】
図９に示す本発明に係る照明制御装置は、更なる省エネルギー化を図るために、図１に示す本発明に係る照明制御装置に、所定の検知範囲内での照度の検出を行う照度センサ８を付加し、制御部６を制御部６Ｂに置換した構成である。
【００４１】
照度センサ８が検出する照度が所定レベル以上である場合、制御部６Ｂは、人体検出センサ５の検出結果にかかわらず、トライアック２のゲートに所定のゲート電圧を印加しない。これにより、照度センサ８が検出する照度が所定レベル以上である場合は、人体検出センサ５の検出結果にかかわらず、ＬＥＤアレイ３が消灯する。一方、照度センサ８が検出する照度が所定レベル未満である場合、制御部６Ｂは、制御部６と同様の制御を行う。例えば、昼間等のときに、照度センサ８が検出する照度が所定レベル以上になり、夜間等のときに、照度センサ８が検出する照度が所定レベル未満になる。
【００４２】
尚、図１に示す本発明に係る照明制御装置から図９に示す本発明に係る照明制御装置への構成変更と同様の構成変更を、図５に示す本発明に係る照明制御装置に対して行ってもよい。
【００４３】
上述した実施形態では、トライアック又はサイリスタを用いているが、トライアック又はサイリスタの代わりにフォトトライアック又はフォトサイリスタを用い、フォトトライアック又はフォトサイリスタを制御する制御部が発光部を有するようにしてもよい。
【００４４】
また、上述した実施形態では、人体検出センサ５が人を検出している場合と人体検出センサ５が人を検出していない場合との制御の切り替えにヒステリシス特性を持たせていないが、ヒステリシス特性を持たせるようにしてもよい。例えば、人体検出センサ５が第１の所定時間の間継続して人を検出している場合にＬＥＤアレイを所定の照度レベルで点灯させる制御を行い、人体検出センサ５が第２の所定時間の間継続して人を検出していない場合にＬＥＤアレイを前記所定の照度レベルより低い照度レベルで点灯させる制御を行うようにしてもよい。
【００４５】
本発明に係る照明制御装置の用途としては、例えば、券売機やＡＴＭ等の液晶表示部のバックライト制御、階段や廊下等に設置される常夜灯の制御、看板照明の制御などが挙げられるが、ここでは、本発明に係る照明制御装置を、自動販売機の前面に設けられる商品サンプル展示部の照明を制御する自動販売機の照明制御装置として用いる場合について図１０を参照して説明する。
【００４６】
図１０は、本発明に係る照明制御装置を備える自動販売機の概略構成例を示す図である。図１０に示す自動販売機は、商品サンプル展示部９と、商品サンプル展示部９の照明を制御する本発明に係る照明制御装置と、商品選択ボタン１０と、ユーザが商品選択ボタン１０を操作することによって選択され排出された商品をユーザが取り出すための商品取出口１１と、ユーザが紙幣を投入するための紙幣投入口１２と、ユーザが硬貨を投入するための硬貨投入口１３と、ユーザが投入した合計金額を表示するための投入金額表示部１４と、ユーザが釣り銭の返却を促すための釣り銭返却レバー１５と、ユーザが返却された釣り銭を取り出すための釣り銭返却口１６とを備えている。
【図面の簡単な説明】
【００４７】
【図１】は、本発明に係る照明制御装置の一構成例を示す図である。
【図２】は、図１に示す本発明に係る照明制御装置の各部電圧・電流の波形を示す図である。
【図３】は、図１に示す本発明に係る照明制御装置の各部電圧・電流の波形を示す図である。
【図４】は、図１に示す本発明に係る照明制御装置の各部電圧・電流の波形を示す図である。
【図５】は、本発明に係る照明制御装置の他の構成例を示す図である。
【図６】は、図５に示す本発明に係る照明制御装置の各部電圧・電流の波形を示す図である。
【図７】は、図５に示す本発明に係る照明制御装置の各部電圧・電流の波形を示す図である。
【図８】は、図５に示す本発明に係る照明制御装置の各部電圧・電流の波形を示す図である。
【図９】は、本発明に係る照明制御装置の更に他の構成例を示す図である。
【図１０】は、本発明に係る照明制御装置を備える自動販売機の概略構成例を示す図である。
【図１１】は、従来の自動販売機の点灯制御装置の一構成例を示す図である。
【符号の説明】
【００４８】
１    交流電源
２    トライアック
２Ａ    サイリスタ
２Ｃ    リレー
３、３Ａ    ＬＥＤアレイ
４    電流制限抵抗
５    人体検出センサ
６、６Ａ〜６Ｃ    制御部
７    ダイオードブリッジ
８    照度センサ
９    商品サンプル展示部
１０    商品選択ボタン
１１    商品取出口
１２    紙幣投入口
１３    硬貨投入口
１４    投入金額表示部
１５    釣り銭返却レバー
１６    釣り銭返却口
１７    蛍光灯部
【図１】
0005089348.tif 000002
【図２】
0005089348.tif 000003
【図３】
0005089348.tif 000004
【図４】
0005089348.tif 000005
【図５】
0005089348.tif 000006
【図６】
0005089348.tif 000007
【図７】
0005089348.tif 000008
【図８】
0005089348.tif 000009
【図９】
0005089348.tif 000010
【図１０】
0005089348.tif 000011
【図１１】
0005089348.tif 000012